(57)【要約】【課題】画像の着目する部分を中心とした階調または色を調整することができ、それ以外の意図しない部分が調整の影響を受けることのない画像処理方法を提供する。【解決手段】階調修正関数を設定する色（Ｃ、Ｍ、Ｙ）等を指定した後、画像の着目部分を指定し、その画像の濃度をピーク濃度ＶPとするとともに、濃度の上側設定値ＶLおよび下側設定値ＶUを設定し、これらのデータから、階調修正関数を作成する。同様に、着目部分の色から色相、明度、彩度を求め、それぞれに対して色修正関数を生成する。これらの階調修正関数および色修正関数を用いて、画像における所望の濃度での階調変換および所望の色での色修正を行う。【選択図】図１５
2008054356.tif 000002
【特許請求の範囲】
【請求項１】
画像に対して階調変換処理を行う画像処理方法において、
画像の着目部分を指定するステップと、
指定された前記着目部分の濃度を基準とする階調修正関数を作成するステップと、
予め設定されている階調変換特性を前記階調修正関数により修正するステップと、
からなり、修正された前記階調変換特性により前記画像の階調変換処理を行うことを特徴とする画像処理方法。
【請求項２】
請求項１記載の方法において、
前記階調修正関数は、前記着目部分の濃度ＶPと、濃度幅Ｗ（０＜Ｗ＜１）とから、
ＶL＝（１−Ｗ）・ＶP
ＶU＝Ｗ＋（１−Ｗ）・ＶP
として求まる設定値ＶL、ＶUと、前記設定値ＶL、ＶUにおける強度ＩL、ＩUとを用いて、（０，０）、（ＶL，ＩL）、（ＶP，１）、（ＶU，ＩU）、（１，０）の５点を通る関数として求めることを特徴とする画像処理方法。
【請求項３】
請求項１または２記載の方法において、
前記着目部分の濃度は、複数の着目点の濃度の平均値として設定されることを特徴とする画像処理方法。
【請求項４】
請求項２記載の方法において、
前記着目部分の濃度ＶPは、複数の着目点の濃度の平均値として設定され、前記濃度幅Ｗは、前記濃度ＶPの標準偏差σと、０＜Ｗmin＜Ｗmax＜１として設定されるパラメータＷmin、Ｗmaxを用いて、
Ｗ＝３（Ｗmax−Ｗmin）・σ／ＶP＋Ｗmin
として設定されることを特徴とする画像処理方法。
【請求項５】
請求項１〜４のいずれかに記載の方法において、
前記階調修正関数を保存し、保存した前記階調修正関数を読み出して使用することを特徴とする画像処理方法。
【請求項６】
請求項５記載の方法において、
読み出した前記階調修正関数が修正可能であることを特徴とする画像処理方法。
【請求項７】
請求項１〜６のいずれかに記載の方法において、
前記着目部分の濃度は、当該着目部分を構成する３原色Ｃ、Ｍ、Ｙの各濃度の１次結合によって算出されることを特徴とする画像処理方法。
【請求項８】
カラー画像に対して色修正処理を行う画像処理方法において、
カラー画像の着目部分を指定するステップと、
指定された前記着目部分の色を基準とする色修正関数を作成するステップと、
前記色修正関数により指定した前記色を修正するステップと、
からなることを特徴とする画像処理方法。
【請求項９】
請求項８記載の方法において、
前記色修正関数は、前記色を構成する色相、明度、彩度に対してそれぞれ設定されることを特徴とする画像処理方法。
【請求項１０】
請求項９記載の方法において、
色相に係る前記色修正関数は、前記着目部分の色相ＨPと、色相幅ＨW（０＜ＨW＜１）とを用いて、（ＨP−ＨW，０）、（ＨP，１）、（ＨP＋ＨW，０）の３点を区間内で補間して求めることを特徴とする画像処理方法。
【請求項１１】
請求項９記載の方法において、
明度に係る前記色修正関数は、前記着目部分の明度ＬPと、
ＬU＝１−ＬP
として求まる明度終値ＬUとを用いて、（０，０）、（ＬP，１）、（１，ＬU）の３点を区間内で補間して求めることを特徴とする画像処理方法。
【請求項１２】
請求項９記載の方法において、
彩度に係る前記色修正関数は、前記着目部分の彩度ＳPと、
ＳU＝１−ＳP
として求まる彩度終値ＳUとを用いて、（０，０）、（ＳP，１）、（１，ＳU）の３点を区間内で補間して求めることを特徴とする画像処理方法。
【請求項１３】
請求項８〜１２のいずれかに記載の方法において、
前記着目部分の色は、複数の着目点の値の平均値として設定されることを特徴とする画像処理方法。
【発明の詳細な説明】
【技術分野】
【０００１】
本発明は、画像に対して階調変換処理または色修正処理を行う画像処理方法に関する。
【背景技術】
【０００２】
例えば、印刷・製版の分野において、作業工程の合理化、画像品質の向上等を目的として、読取原稿に記録されたカラー画像を電気的に処理し、Ｃ、Ｍ、Ｙ、Ｋの４版からなるフイルム原版、あるいは、刷版を作成し、これらから所望の印刷物を得るようにした画像読取記録再生システムが広範に用いられている。
【０００３】
この場合、スキャナ装置等によって読み取られたカラー画像は、着目する部分に対して所望の階調あるいは色調からなる印刷物を得るために、Ｃ、Ｍ、Ｙ、Ｋの各色毎に階調変換処理が行われ、あるいは、Ｃ、Ｍ、Ｙ、Ｋの各色毎に色修正処理が行われる。
【０００４】
具体的には、階調変換処理では、カラー画像の濃度を所望の出力網％を得ることのできる濃度に変換する処理が行われる。この変換処理に用いられる入力濃度−出力濃度変換テーブルであるトーンカーブは、カラー画像のハイライト（ＨＬ）部分、シャドー（ＳＤ）部分およびミドル（ＭＤ）部分において、オペレータが設定した階調修正係数に従って調整される。しかしながら、トーンカーブは、ＨＬ、ＳＤおよびＭＤの各部分に対して予め準備されている階調修正関数を階調修正係数に基づいて修正することで調整されるため、例えば、ＨＬとＭＤとの間の特定の階調近傍を微調整しようとすると、意図しない部分の階調も変動してしまう不具合があった（特許文献１参照）。
【０００５】
また、色修正処理では、一般的には、Ｃ、Ｍ、Ｙ、Ｒ、Ｇ、Ｂの６色相を中心とした修正強度関数を予め準備しておき、オペレータが設定した色修正係数を用いて各修正強度関数を修正することにより、所望の色調を得るようにしている。しかしながら、特定部分の色調を調整したい場合、修正強度関数が上記の６色相を中心として設定されているため、意図しない部分の色調も変化してしまう不具合があった。例えば、肌色を調整したい場合、ＲおよびＹの色相を中心とした修正強度関数を修正することになるため、肌色そのものよりも、ＲまたはＹの色相が大きく変化することになる。また、濁った緑を調整したい場合、通常、修正強度関数は彩度の高い色がより修正されるように設定されているため、濁った緑よりも鮮やかな緑が変化することになる。
【０００６】
【特許文献１】特開平１０−３２２５５１号公報
【発明の開示】
【発明が解決しようとする課題】
【０００７】
本発明は、前記の不具合を解決するためになされたもので、画像の着目する部分を中心とした階調または色を調整することができ、それ以外の意図しない部分が調整の影響を受けることのない画像処理方法を提供することを目的とする。
【課題を解決するための手段】
【０００８】
前記の課題を解決するために、本発明は、画像に対して階調を修正すべき着目部分を指定し、その画像の濃度を基準とする階調修正関数を作成する。そして、この階調修正関数により、予め設定されている階調変換特性を修正し、修正された階調変換特性によって画像の階調変換処理を行う。この場合、所望の濃度近傍の階調変換特性を修正することができる。
【０００９】
なお、階調修正関数は、着目部分の濃度ＶPをピーク濃度とし、濃度幅Ｗで指定した広がりを持った関数として設定することができる。また、着目点が複数ある場合、濃度ＶPを複数の着目点の濃度の平均値とし、濃度幅Ｗを複数の着目点の濃度ＶPの標準偏差σに基づいて設定することもできる。
【００１０】
以上のようにして作成された階調修正関数を着目部分の濃度毎に保存しておき、濃度に応じて所望の階調修正関数を選択し、階調変換特性の修正を行うことができる。
【００１１】
さらに、本発明は、カラー画像に対して色修正すべき着目部分を指定し、その画像の色を基準とする色修正関数を作成する。そして、この色修正関数により、指定した色の色修正処理を行う。
【００１２】
この場合、色修正関数は、色相、明度および彩度に対してそれぞれ設定し、それぞれを独立に修正することができる。
【００１３】
なお、色相に係る色修正関数は、着目部分の色相ＨPをピークとし、色相幅ＨWで指定した広がりを持った関数として設定することができる。また、明度に係る色修正関数は、着目部分の明度ＬPをピークとし、明度終値ＬUで指定した範囲の関数として設定することができる。さらに、彩度に係る色修正関数は、着目部分の彩度ＳPをピークとし、彩度終値ＳUで指定した範囲の関数として設定することができる。これらの着目部分の色相ＨP、明度ＬP、彩度ＳPは、複数の着目点の値の平均値として設定することができる。
【発明の効果】
【００１４】
本発明によれば、画像の着目した部分の濃度に対して特定の階調修正関数を設定することができるので、所望の濃度に対して所望の階調変換を行うことができる。また、画像の着目した部分の色に対して特定の色修正関数を設定することができるので、無関係な色を修正することなく、所望の色のみを修正することができる。
【発明を実施するための最良の形態】
【００１５】
図１は、本発明が適用される画像読取記録再生システムの外観構成を示す図である。このシステムは、読取原稿に記録されたカラー画像を読み取る入力スキャナ１０と、読み取られたカラー画像に対して、階調変換処理、色修正処理等を含む画像処理を行う画像処理装置２０と、画像処理されたカラー画像をＣ、Ｍ、Ｙ、Ｋの４色のフイルム原版として出力する出力装置３０とから基本的に構成される。なお、出力装置３０は、刷版を直接出力する装置として構成することもできる。
【００１６】
画像処理装置２０は、入力スキャナ１０によって読み取られたカラー画像を表示するとともに、画像処理のための各種セットアップパラメータや処理結果等を表示するディスプレイ２２と、オペレータによるセットアップパラメータの入力、画面の切替等のためのキーボード２４、マウス２６とを備える。
【００１７】
図２は、図１に示す画像処理装置２０を中心とする画像処理回路の構成ブロック図である。この画像処理装置２０は、入力スキャナ１０によりカラー画像を色分解して得た３色の濃度データＣ、Ｍ、Ｙを記憶する画像メモリ３２を有する。
【００１８】
画像メモリ３２の後段には、レンジ調整回路３４が設けられる。レンジ調整回路３４は、図３に示すように、オペレータが設定するハイライト（ＨＬ）の設定ＨＬ濃度およびシャドー（ＳＤ）の設定ＳＤ濃度を、基準となるべく予め設定されている画像処理装置２０の内部ＨＬ濃度および内部ＳＤ濃度に変換するための一次変換テーブルαC、αM、αYを各濃度データＣ、Ｍ、Ｙ毎に作成し、この一次変換テーブルαC、αM、αYによって濃度データＣ、Ｍ、Ｙのレンジ調整処理を行う。
【００１９】
レンジ調整回路３４の後段には、階調変換回路３６、信号選択回路３７および色修正回路４０が設けられる。
【００２０】
階調変換回路３６は、所望の網％データＣ、Ｍ、Ｙを得るべく、レンジ調整回路３４から供給される各濃度データＣ、Ｍ、Ｙの階調を、設定した階調変換特性に対応したトーンカーブに従って変換処理する。すなわち、オペレータが設定した階調修正係数に基づいてハイライト（ＨＬ）、ミドル（ＭＤ）、シャドー（ＳＤ）の各濃度における既存の階調修正関数を修正し、また、オペレータが指定した着目部分に対する階調修正関数を新たに生成し、この階調修正関数をオペレータが設定した階調修正係数によって修正し、これらの修正された階調修正関数を用いて各濃度データＣ、Ｍ、ＹのトーンカーブβC、βM、βYを調整し（図４〜図７の点線部参照）、調整されたトーンカーブβC、βM、βYを用いて各濃度データＣ、Ｍ、Ｙの階調変換処理を行う。変換された濃度データＣ、Ｍ、Ｙは、後段の加算器４２に供給される。なお、階調変換処理の詳細については、後述する。
【００２１】
信号選択回路３７は、濃度データＣ、Ｍ、Ｙから最大値および最小値を選択し、ＵＣＲ回路３８およびＫ生成回路３９に供給する回路である。
【００２２】
ＵＣＲ回路３８は、レンジ調整回路３４から供給される各濃度データＣ、Ｍ、Ｙに対して下色除去処理（ＵＣＲ＝Under Color Removal）を行い、濃度データＣ、Ｍ、Ｙの修正量ΔＣ、ΔＭ、ΔＹを算出して加算器４２に負のデータとして加算する。この場合、修正量ΔＣ、ΔＭ、ΔＹは、例えば、信号選択回路３７によって選択された濃度データＣ、Ｍ、Ｙの最大値および最小値とオペレータによって設定されたＵＣＲ強度とから求めることができる。
【００２３】
Ｋ生成回路３９は、信号選択回路３７によって選択された濃度データＣ、Ｍ、Ｙの最小値を基準とし、階調変換回路３６における濃度データＣ、Ｍ、Ｙと同様の処理によって調整されたトーンカーブβK（図４〜図７の点線部参照）に従って濃度データＫを生成する。
【００２４】
色修正回路４０は、レンジ調整回路３４から供給される各濃度データＣ、Ｍ、Ｙにおける色調を所望の色調とする処理を行う。色修正回路４０は、図２に示すように、濃度データＣ、Ｍ、Ｙを色相Ｈ、明度Ｌ、彩度Ｓに変換するＨＬＳ変換回路４４と、色相Ｈ、明度Ｌ、彩度Ｓから、オペレータによって設定される各色修正係数を用いて、濃度データＣ、Ｍ、Ｙ、Ｋのそれぞれの修正量ΔＣ、ΔＭ、ΔＹ、ΔＫを算出するＣ修正量算出回路４６、Ｍ修正量算出回路４８、Ｙ修正量算出回路５０、Ｋ修正量算出回路５２とを有する。
【００２５】
Ｃ修正量算出回路４６は、図８に示すように、ＨＬＳ変換回路４４から供給される色相Ｈ、明度Ｌ、彩度Ｓから、Ｃ、Ｍ、Ｙ、Ｒ、Ｇ、Ｂの各単位色相と、オペレータが指定した着目部分により特定される単位色相（以下、この単位色相をＤという。）とに対する単位色修正量ｕｃ、ｕｍ、ｕｙ、ｕｒ、ｕｇ、ｕｂ、ｕｄを求める単位色修正量算出回路５４Ｃ、５４Ｍ、５４Ｙ、５４Ｒ、５４Ｇ、５４Ｂ、５４Ｄを有し、これらの単位色修正量ｕｃ、ｕｍ、ｕｙ、ｕｒ、ｕｇ、ｕｂ、ｕｄが加算器５６において加算されることで、修正量ΔＣが求められる。
【００２６】
単位色修正量算出回路５４Ｃは、色相Ｈから、Ｃの色相に対応する色相方向修正強度関数を用いて修正強度ｖｈを算出する色相方向修正強度算出回路５８と、明度Ｌおよび彩度Ｓから、Ｃの色相に対応する明度・彩度方向修正強度関数を用いて修正強度ｖａを算出する明度・彩度方向修正強度算出回路６０と、修正強度ｖｈおよびｖａを乗算する乗算器６２と、この乗算結果である修正強度ｖｒに対し、オペレータによって設定された色修正係数を乗算し、Ｃの色相に対する濃度データＣの単位色修正量ｕｃを算出する乗算器６４とを有する。算出された単位色修正量ｕｃは、加算器５６において、他の単位色修正量ｕｍ、ｕｙ、ｕｒ、ｕｇ、ｕｂ、ｕｄと加算されることにより、濃度データＣの修正量ΔＣが求められる。
【００２７】
なお、既存の色相方向修正強度関数は、図９に示すように、Ｃ、Ｍ、Ｙ、Ｒ、Ｇ、Ｂの６色相のそれぞれの中心をピークとし、対称的に漸減して隣接する各色相の中心で修正強度が０となるように設定されている。また、既存の明度・彩度方向修正強度関数は、図１０および図１１に示すように、明度Ｌの修正強度および彩度Ｓの修正強度をそれぞれ（０，０）および（１，１）を通る直線とし、これらの掛け算として設定される。
【００２８】
単位色修正量算出回路５４Ｄは、オペレータが指定した着目部分に対する色相方向修正強度関数および明度・彩度方向修正強度関数を新たに生成し、これらの関数と、オペレータが設定した色修正係数とを用いて、単位色修正量ｕｄを算出する。
【００２９】
Ｍ修正量算出回路４８、Ｙ修正量算出回路５０およびＫ修正量算出回路５２は、Ｃ修正量算出回路４６と同様に構成され、また、単位色修正量算出回路５４Ｍ、５４Ｙ、５４Ｒ、５４Ｇ、５４Ｂ、５４Ｄは、単位色修正量算出回路５４Ｃと同様に構成されるため、その説明は省略する。なお、色修正処理の詳細については、後述する。
【００３０】
色修正回路４０で求められた濃度データＣ、Ｍ、Ｙ、Ｋの修正量ΔＣ、ΔＭ、ΔＹ、ΔＫは、加算器６６において、階調変換された濃度データＣ、Ｍ、Ｙ、Ｋに加算され、階調および色調の調整された濃度データＣ、Ｍ、Ｙ、Ｋとして網％変換回路６８に供給される。網％変換回路６８は、濃度データＣ、Ｍ、Ｙ、Ｋのそれぞれを出力装置３０の出力特性に応じた網％データに変換し、出力装置３０に供給する。
【００３１】
以上、本発明が適用される画像読取記録再生システムの概略構成および動作について説明した。次に、本発明の特徴とする階調変換処理および色修正処理を中心として詳細に説明する。
【００３２】
読取原稿のカラー画像は、入力スキャナ１０によって読み取られた後、濃度データＣ、Ｍ、Ｙとして画像メモリ３２に格納される。読み取られたカラー画像は、一旦、ディスプレイ２２に表示される。オペレータは、この表示されたカラー画像に対して、ハイライトの設定ＨＬ濃度およびシャドーの設定ＳＤ濃度の設定作業を行う。画像処理装置２０では、設定されたハイライトの設定ＨＬ濃度およびシャドーの設定ＳＤ濃度を内部ＨＬ濃度および内部ＳＤ濃度に変換する一次変換テーブルαC、αM、αY（図３）を作成し、これをレンジ調整回路３４に設定する。
【００３３】
そこで、画像メモリ３２から読み出された濃度データＣ、Ｍ、Ｙは、レンジ調整回路３４において、前記のように設定された一次変換テーブルαC、αM、αY（図３）により、内部ＨＬ濃度および内部ＳＤ濃度を基準として変換処理される。
【００３４】
次に、レンジ調整された濃度データＣ、Ｍ、Ｙは、階調変換回路３６、信号選択回路３７および色修正回路４０に供給される。
【００３５】
ここで、画像処理装置２０を構成するディスプレイ２２には、読み出されたカラー画像とともに、図１２に示すトーンカーブ設定画面が表示される。オペレータは、この画面に従い、トーンカーブの調整作業を行う。
【００３６】
先ず、オペレータは、各濃度データＣ、Ｍ、Ｙ、Ｋに対して予め設定されている既存のトーンカーブβC、βM、βY、βKを選択する。なお、各トーンカーブβC、βM、βY、βKは、カラー画像の種類やオペレータの好みに応じて複数設定しておくことができる。
【００３７】
次に、選択されたトーンカーブβX（βC、βM、βY、βK）のハイライト（ＨＬ）、ミドル（ＭＤ）、シャドー（ＳＤ）の各部および任意の着目部分の階調を修正するための階調修正係数ｇXwを設定する。なお、以下において、Ｘ＝Ｃ、Ｍ、Ｙ、Ｋであり、ｗ＝ｈ、ｍ、ｓ、ｄであり、それぞれ濃度データＣ、Ｍ、Ｙ、Ｋのハイライト（ＨＬ）、ミドル（ＭＤ）、シャドー（ＳＤ）および着目部分（Ｄｅｆ）の階調修正係数であることを表すものとする。この場合、階調修正係数ｇXwは、オペレータが設定するのではなく、既存の係数として図示しないメモリ等から呼び出すことも可能である。
【００３８】
そこで、トーンカーブβXの調整方法の一例を以下に説明する。先ず、調整前の選択されたトーンカーブβXを、ハイライト側の原点を中心として図１３における時計方向に４５゜回転させるとともに、入力濃度方向および出力濃度方向の双方に１／√２だけ圧縮し、新たなトーンカーブβX′を作成する。次に、この新たなトーンカーブβX′に対して、図１４に示すように、ハイライト（ＨＬ）、ミドル（ＭＤ）、シャドー（ＳＤ）および着目部分（Ｄｅｆ）に対して設定された階調修正関数γh、γm、γsおよびγdを加算し、（１）式のようにしてトーンカーブβX″を求める。
【００３９】
βX″＝βX′＋ｇXh・γh＋ｇXm・γm＋ｇXs・γs＋ｇXd・γd
…（１）
ここで、着目部分（Ｄｅｆ）に対する階調修正関数γdは、次のようにして設定することができる。
【００４０】
すなわち、オペレータが図１２に示す画面において、「変更」のボタンを選択すると、図１５に示す階調修正関数設定画面がディスプレイ２２に表示される。この画面において、オペレータは、マウス２６を用いて着目部分（画像上の＋が表示されている部分）を指定する。この場合、着目部分としては、複数点を指定することができる。また、所定範囲を線で囲むことで領域として指定することもできる。次いで、「階調・色修正」のボタンを選択すると、「階調修正（Ｃ）」、「階調修正（Ｍ）」、「階調修正（Ｙ）」、「階調修正（Ｌ）」、「色修正」のメニューが表示される。
【００４１】
そこで、オペレータが、例えば、「階調修正（Ｙ）」のメニューを選択した場合について説明する。「階調修正（Ｙ）」は、階調修正関数γdを求めるメニューであり、オペレータは、マウス２６によって着目部分を指定するとともに、階調修正関数γdの所望の濃度幅Ｗ、下側設定値ＶLおよび上側設定値ＶUの強度ＩL、ＩUを設定する。
【００４２】
画像処理装置２０は、オペレータによって指定された着目部分の濃度データＹの値ＰYをピーク濃度ＶPとすると、階調修正関数γdの下側設定値ＶLおよび上側設定値ＶUを、
ＶL＝（１−Ｗ）・ＶP                                      …（２）
ＶU＝Ｗ＋（１−Ｗ）・ＶP                                  …（３）
として求める。このようにして設定されあるいは求められた各パラメータを用いて、階調修正関数γdが（０，０）、（ＶL，ＩL）、（ＶP，１）、（ＶU，ＩU）、（１，０）の５点を通る関数として設定される。この関数は、多次関数による近似、準エルミート補間等の処理によって得ることができる。図１６は、ＩL＝ＩU＝０．５に設定した場合の階調修正関数γdを示す。なお、ピーク濃度ＶPは、着目部分の濃度データＹの値ＰYとする代わりに、オペレータによって任意の値を設定することも可能である。
【００４３】
オペレータは、以上のようにして設定された階調修正関数γdの形状を推定し、ＯＫであれば「登録」のボタンを選択し、登録処理を行う。なお、階調修正関数γdは、既に登録されているピーク濃度ＶP、濃度幅Ｗ、強度ＩL、ＩUを「読出」のボタンを選択することで読み出して修正することも可能である。この場合には、着目部分をマウス２６によって指定する作業を省くことも可能である。また、階調修正関数γdの登録時に登録名を設定しておき、読み出し時に登録されている登録名を画面に表示させ、表示された登録名から所望の登録名を選択し、対応する各パラメータを読み出して使用することもできる。
【００４４】
「階調修正（Ｌ）」のメニューを選択した場合には、着目部分の濃度データＣ、Ｍ、Ｙの値ＰC、ＰM、ＰYを用いて、ピーク濃度ＶPを、例えば、
ＶP＝０．３ＰC＋０．５９ＰM＋０．１１ＰY                  …（４）
として求め、以下、同様にして階調修正関数γdを設定することができる。
【００４５】
一方、着目部分を複数点指定した場合には、各着目点の濃度を平均し、その平均値をピーク濃度ＶPとする。また、各濃度と平均値とから標準偏差σを求めるとともに、０＜Ｗmin≦Ｗ≦Ｗmax＜１の関係にあるパラメータＷmin、Ｗmaxを設定し、これらから、濃度幅Ｗを、
Ｗ＝３（Ｗmax−Ｗmin）・σ／ＶP＋Ｗmin                  …（５）
として求め、以下、同様にして階調修正関数γdを設定することができる。パラメータＷmin、Ｗmaxは、実用上の使用域を制限するための値、例えば、Ｗmin＝０．２５、Ｗmax＝０．７５として設定するが、任意のパラメータとしてシステム内部に保持することもできる。なお、Ｗ＞Ｗmaxとなる場合には、Ｗ＝Ｗmaxとする。
【００４６】
さらに、着目部分を領域として指定した場合には、領域に含まれる全画像の濃度の平均値に基づいて階調修正関数γdを設定することができる。
【００４７】
（１）式に基づき、以上のようにして作成されたトーンカーブβX″は、入力濃度方向および出力濃度方向の双方に１／√２だけ伸張させた後、図１３における反時計方向に４５゜回転させることにより、所望の階調変換を得ることのできる新たなトーンカーブβXNが得られる。この新たなトーンカーブβXNの中、トーンカーブβCN、βMN、βYNは、階調変換回路３６に設定され、トーンカーブβKNは、Ｋ生成回路３９に設定される。
【００４８】
そこで、階調変換回路３６に供給された濃度データＣ、Ｍ、Ｙは、トーンカーブβCN、βMN、βYNによってそれぞれ階調変換された後、加算器４２に供給される。この場合、オペレータが指示した所望の濃度において階調変換された濃度データＣ、Ｍ、Ｙを得ることができる。
【００４９】
一方、ＵＣＲ回路３８は、信号選択回路３７によって選択された濃度データＣ、Ｍ、Ｙの最大値および最小値とオペレータによって設定されたＵＣＲ強度とから、濃度データＣ、Ｍ、Ｙの修正量ΔＣ、ΔＭ、ΔＹを算出し、加算器４２に負のデータとして加算する。従って、階調変換回路３６において階調変換された濃度データＣ、Ｍ、Ｙは、修正量ΔＣ、ΔＭ、ΔＹによって修正された後、加算器６６に供給される。
【００５０】
また、Ｋ生成回路３９では、信号選択回路３７によって選択された濃度データＣ、Ｍ、Ｙの最小値を基準として濃度データＫが生成され、この濃度データＫが上述したように設定されたトーンカーブβKNにより階調変換され、加算器６６に供給される。
【００５１】
以上のようにして階調変換され、加算器６６に供給された濃度データＣ、Ｍ、Ｙ、Ｋは、以下に示す色修正回路４０によって算出された修正量ΔＣ、ΔＭ、ΔＹ、ΔＫにより修正され、網％変換回路６８に供給される。
【００５２】
そこで、次に、色修正回路４０での処理について詳細に説明する。
【００５３】
レンジ調整回路３４によってレンジ調整された濃度データＣ、Ｍ、Ｙは、色修正回路４０に供給され、ＨＬＳ変換回路４４において、色相Ｈ、明度Ｌ、彩度Ｓに変換される。
【００５４】
なお、色相Ｈは０≦Ｈ＜６、明度Ｌは０≦Ｌ＜１、彩度Ｓは０≦Ｓ＜１の範囲に設定する。また、Ｈ＝０はＲ、Ｈ＝１はＹ、Ｈ＝２はＧ、Ｈ＝３はＣ、Ｈ＝４はＢ、Ｈ＝５はＭの各色相を表し（図９参照）、Ｌ＝０は暗い色、Ｌ＝１は明るい色を表し、Ｓ＝０は濁った色、Ｓ＝１は鮮やかな色を表す。
【００５５】
ＨＬＳ変換回路４４では、濃度データＣ、Ｍ、Ｙの最大値Ｑmax、中間値Ｑmid、最小値Ｑminを求める。最大値Ｑmaxを与える濃度データＣ、Ｍ、ＹをＰmax、中間値Ｑmidを与える濃度データＣ、Ｍ、ＹをＰmid、最小値Ｑminを与える濃度データＣ、Ｍ、ＹをＰminとすると、
Ｖ＝（Ｑmid−Ｑmin）／（Ｑmax−Ｑmin）                  …（６）
として、Ｐmax＝Ｙ、且つ、Ｐmin＝Ｃのとき、
Ｈ＝１−Ｖ                                                …（７）
Ｐmax＝Ｙ、且つ、Ｐmin＝Ｍのとき、
Ｈ＝１＋Ｖ                                                …（８）
Ｐmax＝Ｃ、且つ、Ｐmin＝Ｍのとき、
Ｈ＝３−Ｖ                                                …（９）
Ｐmax＝Ｃ、且つ、Ｐmin＝Ｙのとき、
Ｈ＝３＋Ｖ                                                …（１０）
Ｐmax＝Ｍ、且つ、Ｐmin＝Ｙのとき、
Ｈ＝５−Ｖ                                                …（１１）
Ｐmax＝Ｍ、且つ、Ｐmin＝Ｃのとき、
Ｈ＝５＋Ｖ                                                …（１２）
として色相Ｈを求める。
【００５６】
また、ＨＬＳ変換回路４４では、明度Ｌを、
Ｌ＝１−Ｑmax                                            …（１３）
として求める。彩度Ｓは、Ｑmax≦０ならば、
Ｓ＝０                                                    …（１４）
とし、それ以外の場合には、
Ｓ＝１−（Ｑmin＋０．１）／（Ｑmax＋０．１）             …（１５）
として求める。
【００５７】
次に、前記のようにして求められた色相Ｈ、明度Ｌ、彩度Ｓは、Ｃ修正量算出回路４６、Ｍ修正量算出回路４８、Ｙ修正量算出回路５０、Ｋ修正量算出回路５２にそれぞれ供給され、修正量ΔＣ、ΔＭ、ΔＹ、ΔＫの算出処理が行われる。
【００５８】
この場合、画像処理装置２０を構成するディスプレイ２２には、読み出されたカラー画像とともに、図１７に示す色修正画面が表示される。オペレータは、この画面に従い、色修正作業を行う。
【００５９】
オペレータは、カラーコレクション番号を入力することにより、各濃度データＣ、Ｍ、Ｙ、Ｋに対して予め設定されている既存の色修正関数を選択し、既存の色修正係数ａXvを呼び出して修正量ΔＣ、ΔＭ、ΔＹ、ΔＫを算出することができる。なお、Ｘ＝Ｃ、Ｍ、Ｙ、Ｋであり、ｖ＝ｃ、ｍ、ｙ、ｒ、ｇ、ｂ、ｄであり、それぞれＣ、Ｍ、Ｙ、Ｋの各版に対する６色相Ｃ、Ｍ、Ｙ、Ｒ、Ｇ、Ｂおよび着目部分（Ｄｅｆ）の色相の色修正係数であることを表すものとする。
【００６０】
そこで、図８に従って修正量ΔＣの算出処理を説明する。ＨＬＳ変換回路４４によって得られた色相Ｈは、単位色修正量算出回路５４Ｃを構成する色相方向修正強度算出回路５８に入力され、図９に示すように設定された色相Ｃを中心とする色相方向修正強度関数Ｆc（Ｈ）により色相修正強度ｖｈが求められる。また、明度Ｌおよび彩度Ｓは、単位色修正量算出回路５４Ｃを構成する明度・彩度方向修正強度算出回路６０に入力され、設定された明度・彩度方向修正強度関数Ｇc（Ｌ，Ｓ）により明度・彩度修正強度ｖａが求められる。これらの色相修正強度ｖｈおよび明度・彩度修正強度ｖａは、乗算器６２によって乗算された後、乗算器６４によって色修正係数ａCcが乗算され、Ｃ色相修正強度ｕｃが算出される。すなわち、Ｃ色相修正強度ｕｃは、
ｕｃ＝Ｆc（Ｈ）・Ｇc（Ｌ，Ｓ）・ａCc                    …（１６）
として求められる。
【００６１】
同様にして、単位色修正量算出回路５４Ｍ、５４Ｙ、５４Ｒ、５４Ｇ、５４Ｂ、５４Ｄにおいて、Ｍ色相修正強度ｕｍ、Ｙ色相修正強度ｕｙ、Ｒ色相修正強度ｕｒ、Ｇ色相修正強度ｕｇ、Ｂ色相修正強度ｕｂおよび着目部分（Ｄｅｆ）の色相の修正強度であるＤ色相修正強度ｕｄは、色相方向修正強度関数Ｆv（Ｈ）および明度・彩度方向修正強度関数Ｇv（Ｌ，Ｓ）を用いて、それぞれ、次のようにして求められる。なお、色相方向修正強度関数Ｆv（Ｈ）および明度・彩度方向修正強度関数Ｇv（Ｌ，Ｓ）におけるｖは、ｃ、ｍ、ｙ、ｒ、ｇ、ｂ、ｄであり、６色相Ｃ、Ｍ、Ｙ、Ｒ、Ｇ、Ｂおよび着目部分（Ｄｅｆ）の色相の各関数であることを表すものとする。
【００６２】
ｕｍ＝Ｆm（Ｈ）・Ｇm（Ｌ，Ｓ）・ａCm                    …（１７）
ｕｙ＝Ｆy（Ｈ）・Ｇy（Ｌ，Ｓ）・ａCy                    …（１８）
ｕｒ＝Ｆr（Ｈ）・Ｇr（Ｌ，Ｓ）・ａCr                    …（１９）
ｕｇ＝Ｆg（Ｈ）・Ｇg（Ｌ，Ｓ）・ａCg                    …（２０）
ｕｂ＝Ｆb（Ｈ）・Ｇb（Ｌ，Ｓ）・ａCb                    …（２１）
ｕｄ＝Ｆd（Ｈ）・Ｇd（Ｌ，Ｓ）・ａCd                    …（２２）
以上のようにして求められたＣ色相修正強度ｕｃ、Ｍ色相修正強度ｕｍ、Ｙ色相修正強度ｕｙ、Ｒ色相修正強度ｕｒ、Ｇ色相修正強度ｕｇ、Ｂ色相修正強度ｕｂ、Ｄ色相修正強度ｕｄは、加算器５６において加算されることで、濃度データＣに対する修正量ΔＣが算出される。
【００６３】
ここで、着目部分の色相Ｄに対する色相方向修正強度関数Ｆd（Ｈ）および明度・彩度方向修正強度関数Ｇd（Ｌ，Ｓ）は、次のようにして設定することができる。
【００６４】
すなわち、オペレータが図１７に示す画面において、「変更」のボタンを選択すると、図１８に示す修正強度関数設定画面がディスプレイ２２に表示される。この画面において、オペレータは、マウス２６を用いて着目部分（画像上の＋が表示されている部分）を指定する。この場合、着目部分としては、複数点を指定することができる。また、所定範囲を線で囲むことで領域として指定することもできる。次いで、「階調・色修正」のボタンを選択すると、「階調修正（Ｃ）」、「階調修正（Ｍ）」、「階調修正（Ｙ）」、「階調修正（Ｌ）」、「色修正」のメニューが表示される。オペレータは、このメニューから「色修正」を選択する。
【００６５】
画像処理装置２０は、オペレータがマウス２６によって指定した着目部分の色相Ｈ、明度Ｌ、彩度ＳをＨＬＳ変換回路４４により求め、得られた色相Ｈの値ＨCをピーク色相ＨPとし、色相幅ＨW（０＜ＨW＜１）をパラメータとして、色相方向修正強度関数Ｆd（Ｈ）を、図１９に示すように、（ＨP−ＨW，０）、（ＨP、１）、（ＨP＋ＨW，０）の３点を区間内で直線補間して設定する。なお、色相方向修正強度関数Ｆd（Ｈ）は、図９に示す他の色相方向修正強度関数と同様に、０＜Ｈ＜６の範囲で循環的に定義される関数である。そのため、ＨP−ＨW＜０の場合、あるいは、ＨP＋ＨW＞６の場合には、例えば、色相方向修正強度関数Ｆr（Ｈ）のように、循環範囲に対応させて色相方向修正強度関数Ｆd（Ｈ）を設定する。
【００６６】
なお、色相方向修正強度関数Ｆd（Ｈ）は、図２０に示すように、（ＨP−ＨW，０）、（ＨP−ＨW／２，１）、（ＨP＋ＨW／２，１）、（ＨP＋ＨW，０）の４点を区間内で直線補間して設定してもよい。さらに、図２１に示すように、形状係数Ａを用いて、
Ｆd（Ｈ）＝Ａ・（Ｈ−ＨP）2＋１                        …（２３）
となるように設定することもできる。
【００６７】
また、明度Ｌは、指定した着目部分（Ｄｅｆ）の明度Ｌの値ＬCをピーク明度ＬPとし、明度終値Ｌuを、
Ｌu＝１−ＬC                                            …（２４）
として、明度方向修正強度関数ｇ１d（Ｌ）を、図２２に示すように、（０，０）、（ＬP，１）、（１，Ｌu）の３点を区間内で直線補間して設定する。
【００６８】
さらに、彩度Ｓは、指定した着目部分の彩度Ｓの値ＳCをピーク彩度ＳPとし、彩度終値Ｓuを、
Ｓu＝１−ＳC                                            …（２５）
として、彩度方向修正強度関数ｇ２d（Ｌ）を、図２３に示すように、（０，０）、（ＳP，１）、（１，Ｓu）の３点を区間内で直線補間して設定する。
【００６９】
明度・彩度方向修正強度関数Ｇd（Ｌ，Ｓ）は、以上のようにして設定された明度方向修正強度関数ｇ１d（Ｌ）および彩度方向修正強度関数ｇ２d（Ｌ）から、
Ｇd（Ｌ，Ｓ）＝ｇ１d（Ｌ）・ｇ２d（Ｌ）                …（２６）
として設定される。
【００７０】
以上のようにして設定された色相方向修正強度関数Ｆd（Ｈ）および明度・彩度方向修正強度関数Ｇd（Ｌ，Ｓ）の各パラメータであるピーク色相ＨP、色相幅ＨW、ピーク明度ＬP、明度終値Ｌu、ピーク彩度ＳP、彩度終値Ｓuは、図１８に示すようにして表示される。オペレータは、その表示に従って色相方向修正強度関数Ｆd（Ｈ）および明度・彩度方向修正強度関数Ｇd（Ｌ，Ｓ）の形状を推定し、ＯＫであれば「登録」のボタンを選択し、登録処理を行う。この場合、登録名を設定することができる。また、色相方向修正強度関数Ｆd（Ｈ）および明度・彩度方向修正強度関数Ｇd（Ｌ，Ｓ）は、「読出」のボタンを操作することにより、既に登録されている登録名を画面に表示させ、表示された登録名から所望の登録名を選択して各パラメータを読み出して修正することもできる。この場合には、着目部分をマウス２６によって指定する作業を省くことも可能である。
【００７１】
なお、着目部分を複数点指定し、あるいは、領域として指定した場合には、以下のようにして処理する。
【００７２】
色相Ｈは、０と６とで同一色相を示す０〜６の範囲で循環する値である。そこで、指定された複数の着目点あるいは領域内の画素の色相Ｈの最大値および最小値を求め、その差をＨAとする。一方、色相Ｈが３以上となるものの色相ＨをＨ−６に置き換えた後、置き換えられた色相Ｈ′の最大値および最小値を求め、その差をＨBとする。次いで、ＨAとＨBとを比較し、小さい方を与えるときの前記最大値および最小値をＨmaxおよびＨminとする。次に、色相ＨまたはＨ′の平均値を求める。なお、この平均値がマイナスとなるときには、その値に６を加算する。このようにして求めた色相Ｈの平均値をＨPとする。さらに、最大値Ｈmaxと最小値Ｈminとから、
Ｈdif＝Ｈmax−Ｈmin                                    …（２７）
とし、Ｈdif＞２であれば、着目部分の複数の色相Ｈが離れ過ぎていると判定して処理を中止する。また、Ｈdif≦２であれば、
ＨW＝０．５・Ｈdif＋０．５                              …（２８）
とし、ＨW＞１であれば、ＨW＝１とし、前述したようにして色相方向修正強度関数Ｆd（Ｈ）を求める。
【００７３】
また、明度Ｌの場合には、明度Ｌの平均値をピーク明度ＬPとし、また、明度Ｌの最大値をＬmaxとして、明度終値Ｌuを、
Ｌu＝（Ｌmax−１）・ＬP／（１−ＬP）＋１                …（２９）
として求め、前述したようにして明度方向修正強度関数ｇ１d（Ｌ）を求める。
【００７４】
さらに、彩度Ｓの場合には、彩度Ｓの平均値をピーク彩度ＳPとし、また、彩度Ｓの最大値をＳmaxとして、彩度終値Ｓuを、
Ｓu＝（Ｓmax−１）・ＳP／（１−ＳP）＋１                …（３０）
として求め、前述したようにして彩度方向修正強度関数ｇ２d（Ｓ）を求める。
【００７５】
色修正回路４０においては、以上のようにして、各濃度データＣ、Ｍ、Ｙ、Ｋに対する修正量ΔＣ、ΔＭ、ΔＹ、ΔＫが算出される。この場合、各修正量ΔＣ、ΔＭ、ΔＹ、ΔＫは、オペレータが指定した着目部分の色に対して所望の修正がなされている。
【００７６】
これらの修正量ΔＣ、ΔＭ、ΔＹ、ΔＫは、加算器６６において、階調変換された濃度データＣ、Ｍ、Ｙ、Ｋに加算された後、網％変換回路６８に供給される。網％変換回路６８では、修正された濃度データＣ、Ｍ、Ｙ、Ｋが網％データに変換され、出力装置３０に出力される。出力装置３０では、前記網％からＣ、Ｍ、Ｙ、Ｋの各版のフイルム原版あるいは刷版が作成される。
【００７７】
なお、上記の説明では、階調修正関数γd、色相方向修正強度関数Ｆd（Ｈ）および明度・彩度方向修正強度関数Ｇd（Ｌ，Ｓ）を、それぞれ１つずつ設定することとしているが、必ずしもこれに限定されるものではない。例えば、肌色と空色とのように、色域が異なる複数の着目部分についてそれぞれ関数を設定し、階調変換処理および色修正処理を行うこともできる。具体的には、図１２に示すトーンカーブの設定において、複数の階調修正係数設定部（Ｄｅｆ）を設け、それぞれに対して「変更」のボタンを選択して各階調修正関数γdを設定登録した後、（１）式に加算する処理を行うことにより、登録された各階調修正関数γdを独立に重畳して作用させることができる。同様に、図１７に示すカラーコレクションにおいて、複数の色修正係数設定部（Ｄｅｆ）を設け、それぞれに対して「変更」のボタンを選択して各色相方向修正強度関数Ｆd（Ｈ）および明度・彩度方向修正強度関数Ｇd（Ｌ，Ｓ）を設定登録した後、図８に示す加算器５６に加算する処理を行うことにより、登録された各色相方向修正強度関数Ｆd（Ｈ）および明度・彩度方向修正強度関数Ｇd（Ｌ，Ｓ）を独立に重畳して作用させることができる。
【図面の簡単な説明】
【００７８】
【図１】本発明が適用される画像読取記録再生システムの外観構成を示す図である。
【図２】画像処理装置を中心とした画像処理回路の構成ブロック図である。
【図３】レンジ調整回路における設定濃度と内部濃度との変換特性の説明図である。
【図４】階調変換回路におけるハイライト濃度側での階調変換特性の調整処理の説明図である。
【図５】階調変換回路における中間濃度側での階調変換特性の調整処理の説明図である。
【図６】階調変換回路におけるシャドー濃度側での階調変換特性の調整処理の説明図である。
【図７】階調変換回路における着目部分の濃度近傍での階調変換特性の調整処理の説明図である。
【図８】色修正回路におけるＣ修正量算出回路の構成ブロック図である。
【図９】色相方向修正強度関数の説明図である。
【図１０】明度の修正強度関数の説明図である。
【図１１】彩度の修正強度関数の説明図である。
【図１２】トーンカーブ設定画面の説明図である。
【図１３】階調変換特性の調整処理の説明図である。
【図１４】階調変換特性の調整処理の説明図である。
【図１５】着目部分の濃度に対する階調修正関数の設定画面の説明図である。
【図１６】着目部分の濃度に対する階調変換特性を修正する階調修正関数の説明図である。
【図１７】色修正画面の説明図である。
【図１８】着目部分の色相、明度、彩度に対する色修正の調整処理画面の説明図である。
【図１９】着目部分に対する色相方向修正強度関数の説明図である。
【図２０】着目部分に対する色相方向修正強度関数の他の実施形態の説明図である。
【図２１】着目部分に対する色相方向修正強度関数の他の実施形態の説明図である。
【図２２】着目部分に対する明度方向修正強度関数の説明図である。
【図２３】着目部分に対する彩度方向修正強度関数の説明図である。
【符号の説明】
【００７９】
１０…入力スキャナ                ２０…画像処理装置
２２…ディスプレイ                ３０…出力装置
３４…レンジ調整回路              ３６…階調変換回路
３７…信号選択回路                ３８…ＵＣＲ回路
３９…Ｋ生成回路                  ４０…色修正回路
４４…ＨＬＳ変換回路              ４６…Ｃ修正量算出回路
４８…Ｍ修正量算出回路            ５０…Ｙ修正量算出回路
５２…Ｋ修正量算出回路
５４Ｃ、５４Ｍ、５４Ｙ、５４Ｒ、５４Ｇ、５４Ｂ、５４Ｄ…単位色修正量算出回路
５８…色相方向修正強度算出回路    ６０…明度・彩度方向修正強度算出回路
６８…網％変換回路
【図１】
2008054356.tif 000003
【図２】
2008054356.tif 000004
【図３】
2008054356.tif 000005
【図４】
2008054356.tif 000006
【図５】
2008054356.tif 000007
【図６】
2008054356.tif 000008
【図７】
2008054356.tif 000009
【図８】
2008054356.tif 000010
【図９】
2008054356.tif 000011
【図１０】
2008054356.tif 000012
【図１１】
2008054356.tif 000013
【図１２】
2008054356.tif 000014
【図１３】
2008054356.tif 000015
【図１４】
2008054356.tif 000016
【図１５】
2008054356.tif 000017
【図１６】
2008054356.tif 000018
【図１７】
2008054356.tif 000019
【図１８】
2008054356.tif 000020
【図１９】
2008054356.tif 000021
【図２０】
2008054356.tif 000022
【図２１】
2008054356.tif 000023
【図２２】
2008054356.tif 000024
【図２３】
2008054356.tif 000025
【手続補正書】
【提出日】平成19年12月25日(2007.12.25)
【手続補正１】
【補正対象書類名】特許請求の範囲
【補正対象項目名】全文
【補正方法】変更
【補正の内容】
【特許請求の範囲】
【請求項１】
カラー画像に対して色修正処理を行う画像処理方法において、
カラー画像の着目部分を指定するステップと、
指定された前記着目部分の色を基準とする色修正関数を作成するステップと、
前記色修正関数により指定した前記色を修正するステップと、
からなることを特徴とする画像処理方法。
【請求項２】
請求項１記載の方法において、
前記色修正関数は、前記色を構成する色相、明度、彩度に対してそれぞれ設定されることを特徴とする画像処理方法。
【請求項３】
請求項２記載の方法において、
色相に係る前記色修正関数は、前記着目部分の色相ＨＰと、色相幅ＨW（０＜ＨW＜１）とを用いて、（ＨP−ＨW，０）、（ＨP，１）、（ＨP＋ＨW，０）の３点を区間内で補間して求めることを特徴とする画像処理方法。
【請求項４】
請求項２記載の方法において、
明度に係る前記色修正関数は、前記着目部分の明度ＬＰと、
ＬU＝１−ＬP
として求まる明度終値ＬUとを用いて、（０，０）、（ＬP，１）、（１，ＬU）の３点を区間内で補間して求めることを特徴とする画像処理方法。
【請求項５】
請求項２記載の方法において、
彩度に係る前記色修正関数は、前記着目部分の彩度ＳＰと、
ＳU＝１−ＳP
として求まる彩度終値ＳUとを用いて、（０，０）、（ＳP，１）、（１，ＳU）の３点を区間内で補間して求めることを特徴とする画像処理方法。
【請求項６】
請求項１〜５のいずれかに記載の方法において、
前記着目部分の色は、複数の着目点の値の平均値として設定されることを特徴とする画像処理方法。
【手続補正２】
【補正対象書類名】明細書
【補正対象項目名】０００１
【補正方法】変更
【補正の内容】
【０００１】
本発明は、画像に対して色修正処理を行う画像処理方法に関する。
【手続補正３】
【補正対象書類名】明細書
【補正対象項目名】０００４
【補正方法】変更
【補正の内容】
【０００４】
具体的には、階調変換処理では、カラー画像の濃度を所望の出力網％を得ることのできる濃度に変換する処理が行われる。この変換処理に用いられる入力濃度−出力濃度変換テーブルであるトーンカーブは、カラー画像のハイライト（ＨＬ）部分、シャドー（ＳＤ）部分およびミドル（ＭＤ）部分において、オペレータが設定した階調修正係数に従って調整される。しかしながら、トーンカーブは、ＨＬ、ＳＤおよびＭＤの各部分に対して予め準備されている階調修正関数を階調修正係数に基づいて修正することで調整されるため、例えば、ＨＬとＭＤとの間の特定の階調近傍を微調整しようとすると、意図しない部分の階調も変動してしまう不具合があった。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
本発明は、前記の不具合を解決するためになされたもので、画像の着目する部分を中心とした色を調整することができ、それ以外の意図しない部分が調整の影響を受けることのない画像処理方法を提供することを目的とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
前記の課題を解決するために、本発明は、カラー画像に対して色修正すべき着目部分を指定し、その画像の色を基準とする色修正関数を作成する。そして、この色修正関数により、指定した色の色修正処理を行う。
【手続補正１０】
【補正対象書類名】明細書
【補正対象項目名】００１４
【補正方法】変更
【補正の内容】
【００１４】
本発明によれば、画像の着目した部分の色に対して特定の色修正関数を設定することができるので、無関係な色を修正することなく、所望の色のみを修正することができる。